(57)【要約】【課題】  昆虫の育成に必要なタンパク質や脂質等の栄養価の高い昆虫飼育用マットを得て、昆虫の育成を効果的に促進する事を可能とする。この育成効果の高い製品を、特別な材料や複雑な工程を経る事なく簡易に得て、生産性を高める。【解決手段】  木屑５０〜９８．８wt%、小麦粉０．２〜１０wt%、蚕のサナギ１〜４０wt%を配合し、必要に応じて水を加えた混合物を、発酵させて水分割合３０〜６０wt%とした昆虫飼育用マットを得る。【特許請求の範囲】
【請求項１】
木屑５０〜９８．８wt%、小麦粉０．２〜１０wt%、蚕のサナギ１〜４０wt%を配合し、必要に応じて水を加えた混合物を、発酵させて水分割合３０〜６０wt%とした事を特徴とする昆虫飼育用マット。
【請求項２】
木屑５０〜９９wt%、蚕のサナギ１〜５０wt%を配合し、必要に応じて水を加えた混合物を、発酵させて水分割合３０〜６０wt%とした事を特徴とする昆虫飼育用マット。
【請求項３】
発酵は、１８〜３０℃にて２１〜６０日間行う事を特徴とする請求項１又は２の昆虫飼育用マット。
【請求項４】
木屑は、クヌギ、ナラ、ブナ若しくはエノキの生状態のもの又は乾燥させたもので、何れか一種又は複数種を組み合わせた事を特徴とする請求項１、２又は３の昆虫飼育用マット。
【請求項５】
蚕のサナギは、粉末状又はミンチ状である事を特徴とする請求項１、２、３又は４の昆虫飼育用マット。
【発明の詳細な説明】
【技術分野】
【０００１】
本発明は、クワガタムシ、カブトムシ等の昆虫の幼虫を飼育し、これらの幼虫の良好な育成を可能とする昆虫飼育用マットに係るものである。
【背景技術】
【０００２】
従来、昆虫類、特にクワガタムシやカブトムシの幼虫等の飼育のため、木屑に小麦粉を添加し、発酵させた昆虫飼育用マットが使用されていた。この小麦粉は、タンパク質成分を添加して微生物による発酵を促進させるだけでなく、昆虫の育成のための栄養分を付与するために用いられていた。また、特許文献１では、しいたけ栽培後の腐敗原木を粉砕した木屑にて飼育用マットを形成し、特許文献２では、茶類の出し殻を自然発酵させる事で飼育用マットを形成している。何れの場合でも、昆虫飼育用マットの栄養価を高めて昆虫の育成を促進させようとするものであった。
【特許文献１】特開平８−４２３８３６号公報
【特許文献２】特開平１１−１１３４４５号公報
【発明の開示】
【発明が解決しようとする課題】
【０００３】
しかしながら、上記何れの従来品も、昆虫の標準的な飼育には好適であるが、幼虫等の育成に必要なタンパク質や脂質の含有量が少なく、特にクワガタやカブトムシ等、大型の成虫が好まれるような昆虫を、より大型に育成するためには、十分なものとは言えなかった。また、使用する材料によっては、昆虫の摂餌性が悪く、良好な育成が望めない事もあった。そのため、栄養価の高い餌を別途添加する必要がある等、飼育に手間が掛かるものとなっていた。
【０００４】
本発明は上述の如き課題を解決しようとするものであって、昆虫の育成に必要なタンパク質や脂質等の栄養価の高い昆虫飼育用マットを得て、昆虫の育成を効果的に促進する事を可能とするものである。特に、クワガタムシやカブトムシの幼虫等の育成を促進可能とし、より大型な個体を得る事を可能とするものである。
【課題を解決するための手段】
【０００５】
本発明は、上述の如き課題を解決するため、第１の発明は、木屑５０〜９８．８wt%、小麦粉０．２〜１０wt%、蚕のサナギ１〜４０wt%を配合し、必要に応じて水を加えた混合物を、発酵させて水分割合３０〜６０wt%として成るものである。
【０００６】
また、第２の発明は、木屑５０〜９９wt%、蚕のサナギ１〜５０wt%を配合し、必要に応じて水を加えた混合物を、発酵させて水分割合３０〜６０wt%として成るものである。
【０００７】
また、発酵は、１８〜３０℃にて２１〜６０日間行っても良い。
【０００８】
また、木屑は、クヌギ、ナラ、ブナ若しくはエノキの生状態のもの又は乾燥させたもので、何れか一種又は複数種を組み合わせても良い。
【０００９】
また、蚕のサナギは、粉末状又はミンチ状であっても良い。
【発明の効果】
【００１０】
本発明の昆虫飼育用マットは、上述の如く構成したもので、蚕のサナギを添加しているので、昆虫の摂餌性に優れ、タンパク質や脂質等の栄養価が高い昆虫飼育用マットを得る事ができる。そして、昆虫の飼育に好適な環境が得られ、昆虫の幼虫等の良好な育成と容易な飼育が可能な製品を得る事ができる。特に、クワガタムシやカブトムシ等の、より大型な成虫が需用者に好まれる昆虫の飼育にも好適な高品質な製品が得られるものとなる。また、木屑と蚕のサナギ、必要に応じて小麦粉を混合して発酵させただけで得られるので、特別な材料や手間を掛ける事なく、昆虫飼育用マットを容易に得る事が可能となる。
【発明を実施するための最良の形態】
【００１１】
蚕のサナギは、高タンパク、高脂質で栄養価が高い材料であり、本願発明者は、今回の発明にあたり、クワガタの雌の産卵時に、蚕のサナギを餌として与える事により、産卵数を増やしたり、産卵後の体力の早い回復を図る事が可能である事を見出した。本発明は、昆虫飼育用マットの材料として従来から使用される木屑に、蚕のサナギを適量加える事で、従来品の木屑や出し殻のみから成るもの、木屑等に小麦粉のみを添加したものに比べ、栄養価や昆虫の摂餌性が高く、昆虫の幼虫等の育成を効果的に向上させる事が可能な製品を得る事ができる。
【００１２】
また、第１の発明では、木屑と蚕のサナギだけでなく、小麦粉を使用して植物性タンパク質を添加する事により、飼育用マットの良好な発酵を促すとともに、発酵作業を容易に行う事が可能となる。尚、小麦粉は、薄力粉、中力粉、強力粉、ふすま等、何れの種類を使用しても良いが、強力粉は、タンパク質成分の含有量が最も多く、タンパク質成分の添加と言う目的に合致しているので、使用に好適なものである。
【００１３】
上記第１の発明の昆虫飼育用マットを製造するには、まず木屑５０〜９８．８wt%、小麦粉０．２〜１０wt%、蚕のサナギ１〜４０wt%を配合し、適宜に水分を加えて撹拌・混合する事により、混合物を形成する。そして、この混合物を発酵させて水分割合３０〜６０wt%とした昆虫飼育用マットを得るものである。
【００１４】
上記、混合物を形成する際の加水量は、生サナギ又は煮サナギを使用した際のサナギの含有水分量や、木屑の含有水分量が多い場合には、別個に水を加える必要がないか、少量の加水量で十分である。逆に、乾燥させたサナギや乾燥させた木屑を使用した場合には、別個に水を加える必要がある。この混合物中の水分量が少ないと、昆虫飼育用マットの十分な発酵が得られなくなるし、逆に水分量が多過ぎると、発酵過程で腐敗等を生じ易くなる。また、発酵させる場所の湿度等によっても加水量を適宜に調整する必要がある。このように材料のコンディションや発酵環境等に応じて、発酵後の昆虫飼育用マット中に含有される最終的な水分割合が、３０〜６０wt%となるように調整する。
【００１５】
この昆虫飼育用マットの水分割合が３０wt%より少ないと、前述の如く発酵過程で十分な発酵が得られなかったり、昆虫の飼育時には硬過ぎて幼虫が蛹室を作りにくい製品となる。逆に、水分割合が６０wt%よりも多いと、前述の如く発酵過程で腐敗等を生じ易くなったり、水分量が多くて幼虫等の飼育環境に合わない製品となる。また、昆虫飼育用マットの水分含有量を３５〜４５wt%とするのが更に好ましく、発酵時の腐敗等の心配が少なく、製造作業が容易となるとともに、昆虫の飼育時には、摂餌性や栄養価が高く、快適な飼育環境が得られ、昆虫の良好な育成が可能な製品が得られる。
【００１６】
また、木屑が５０wt%より少ないと、水や蚕のサナギの配合割合が多くなり過ぎて、腐敗等を生じ易く製造作業が困難となったり、水分含有量が多く昆虫の飼育環境には適合しない製品となる虞がある。逆に、木屑が９８．８wt%よりも多いと、水や蚕のサナギの配合割合が少なくなり、発酵が促進されずに生産性が低下したり、栄養価が低く昆虫の成育促進の効果の低い製品となる。また、小麦粉が０．２wt%より少ないと、小麦粉を入れる事による発酵促進の効果が得にくくなり、小麦粉が１０wt%より多いと、蚕のサナギの配合量が相対的に少なくなって、脂質等の他の栄養価の少ない製品となる。また、蚕のサナギが１wt%より少ないと、動物性のタンパク質や脂質量が少なくなって、昆虫の成育促進の効果の向上が望めない。逆に、蚕のサナギが４０wt%より多いと、小麦粉のタンパク質成分と相俟って腐敗等を生じ易くなり、昆虫飼育用マットの製造や保存が困難となる。
【００１７】
また、上記混合物を発酵させる際の温度は、１８〜３０℃の範囲で行うのが好ましい。更に好ましくは、２２〜２６℃の範囲で発酵させる事で、昆虫飼育用マットの発酵を効率的に行う事ができる。
【００１８】
また、発酵期間は、季節や温度等の環境、材料の質や粒径等により異なり、発酵度合いを確認しながら適宜の日数で行う。この発酵の完了は、発酵による発熱が無くなった状態を目安として行う。好ましくは、２１〜６０日間発酵させる事で、十分な発酵が可能となり、昆虫用の餌及び飼育環境として好適で、カビの発生等を生じにくい保存性にも優れる製品を得る事ができる。
【００１９】
また、上記発酵の際は、仕込みを始めてから一週間は、混合物を１〜２日に一回の割合で撹拌する事で、通気性を良くして発酵を促す。また、一週間経過後は、２〜７日に一回の割合で撹拌する事により、発酵を良好に促進させる事ができる。
【００２０】
また、木屑として、飼育する昆虫の好み、その他に応じて、クヌギ、ナラ、ブナ若しくはエノキの何れか一種又は複数種を組み合わせたものを使用するのが好ましい。これらは、クワガタムシやカブトムシ等が自然界で摂餌しているものであるから、嗜好性、摂餌性が高く高品質の昆虫飼育用マットを得る事ができる。また、木屑は、原木をチップ状に砕いたものを使用しても良いし、微粒子に粉砕したものを使用しても良い。また、これらチップ状又は粉砕した木屑は、生状態で水分を含むものを使用しても良いし、これらを乾燥させた状態のものを使用しても良い。
【００２１】
また、蚕のサナギは、栄養価が高く、昆虫の摂餌性に優れ、昆虫の良好な成育を促進する事ができる。この蚕のサナギは、生サナギ又は煮サナギを乾燥させて粉砕するか又は、脱脂・乾燥後に粉砕した粉末状のものを使用しても良いし、乾燥させずにそのままミンチ状にしたものを使用しても良い。粉末状であれば、材料の保存等が容易で手軽な使用が可能となる。また、脱脂した粉末状のものは、あまり多くの脂質の摂取が必要のない昆虫の飼育等に適したものとなる。また、ミンチ状のものはそれ自体が水分を含有しているので、別個に多くの水を加えなくても適度な水分量が得られるとともに、各種ミネラル等も含有する製品が得られる。
【００２２】
また、第２の発明では、混合物は、木屑５０〜９９wt%、蚕のサナギ１〜５０wt%とし、小麦粉を添加せずに木屑と蚕のサナギのみを混合して昆虫飼育用マットを得ている。この場合、小麦粉を添加しないので、蚕のサナギの配合割合を５０wt%まで多くしても、腐敗等を生じにくい。この第２の発明でも、昆虫の成育を良好に行う事が可能な栄養価の高い製品を得る事ができるとともに、使用する材料を少なくして仕入れや配合作業等の手間を省く事ができる。
【実施例１】
【００２３】
本発明の実施例１の昆虫飼育用マットの材料と、その配合割合を示す。
木屑                  ６９．９wt%
水                    ２３．３wt%
小麦粉                  ４．７wt%
サナギ粉末              ２．１wt%
合計                １００．０wt%
【実施例２】
【００２４】
本発明の実施例２の昆虫飼育用マットの材料と、その配合割合を示す。
木屑                  ６７．８wt%
水                    ２２．６wt%
小麦粉                  ４．５wt%
サナギ粉末              ５．１wt%
合計                １００．０wt%
【００２５】
上記各実施例の配合割合で配合した混合物を、２２〜２６℃の温度範囲で、３０日の期間で発酵させて昆虫飼育用マットを得た。発酵の際は、仕込みを始めてから一週間は、混合物を１〜２日に一回の割合で撹拌する事で、通気性を良くして発酵を促した。また、一週間経過後は、混合物を２〜７日に一回の割合で撹拌しながら発酵させた。
【００２６】
また、比較例１として、下記に示す如き配合割合で、蚕のサナギを無添加の昆虫飼育用マットを製造した。この比較例１の混合物を２２〜２６℃の温度範囲で、上記実施例と同様の撹拌を行いながら３０日間発酵させた。
【００２７】
比較例１
木屑                  ７１．４wt%
水                    ２３．８wt%
小麦粉                  ４．８wt%
合計                １００．０wt%
【００２８】
上記実施例１、実施例２及び比較例１の昆虫飼育用マットの成分分析値を下記表１に示した。また、発酵後の製品の最終的な水分割合は、表１の成分分析値に示す通りである。尚、昆虫飼育用マットは、実施例１、実施例２、比較例１ともに、各々一個のみ製造したのではなく、同一配合割合と同一製造工程を用いて、各々５個ずつを製造し、全ての昆虫飼育用マットでの成分を分析したので、表１に示す分析値に、幅が生じたものである。
【００２９】
【表１】
2005269915.tif 000002
【００３０】
表１に示す如く、比較例１の蚕のサナギを無添加の昆虫飼育用マットに比べ、本発明の実施例１、実施例２の昆虫飼育用マットは、何れもタンパク質と脂質の含有量が多く、栄養価が高く昆虫の良好な成育が望める製品を得る事ができた。
【００３１】
前記配合割合と製造工程で得られた実施例２の昆虫飼育用マットを使用して、クワガタ虫の飼育実験を行った。まず、実施例２の昆虫飼育用マットを入れた容器と、比較例１の昆虫飼育用マットを入れた容器を複数個用意し、各々にクワガタムシの幼虫を一匹ずつ入れて飼育した。そして、成虫となったクワガタムシの成長の差を、体長を測定する事により成長の度合いを比較した。尚、クワガタムシは、各昆虫飼育用マットでオス、メスそれぞれを飼育した結果、実施例２の昆虫飼育用マットでは、オス７匹中５匹、メス７匹中７匹が成虫となり、比較例１の昆虫飼育用マットでは、オス６匹中３匹、メス１０匹中７匹が成虫となった。各実験グループの毎の平均体長を下記表２に示した。
【００３２】
【表２】
2005269915.tif 000003
上記表２に示す通り、オス、メスともに、比較例１の昆虫飼育用マットで飼育したものに比べ、実施例２の昆虫飼育用マットで飼育したもののほうが、体長が格段に大きく、成長が良いと言う結果を得た。